(57)【要約】【課題】回転部が回転中心から周面までの距離が一定でない場合も、回転部と操作部が干渉せず、かつ、デザイン上も有利な回転玩具を提供する。【解決手段】側面を有する操作部が近接位置から離間位置へ移動することで、回転中心からの距離がＬ２の回転部周面上の点Ｂが初期位置から回転終了位置に移動するよう、回転部を所定角度回転させる駆動手段とからなり、点Ｂは、初期位置では操作部の側面と対向しておらず、初期位置から回転終了位置へと移動する際に操作部の側面と対向する位置を通過可能であり、回転部が所定角度回転する間に操作部の側面と対向する点のうちで最も回転中心からの距離が離れており、操作部が近接位置にあるとき、操作部の側面の回転部の回転中心からの距離はＬ２よりも小さく、駆動手段は、操作部の側面と回転部の回転中心からの距離がＬ３（ただし、Ｌ３＞Ｌ２）となったとき、回転部の回転を開始させる。【選択図】図１
2010119541.tif 000002
【特許請求の範囲】
【請求項１】
回転玩具であって、
表面を有する基部と、
周面を有し、基部表面上を回転可能に取り付けられた回転部と、
側面を有し、回転部の周面に対して前記側面が近接する近接位置、離間する離間位置を取り得る操作部と、
からなり、
前記回転部は、周面上に回転中心からの距離がＬ１である点ＡとＬ２（ただしＬ２＞Ｌ１）である点Ｂとを有し、
前記操作部が近接位置から離間位置へ移動することにより、前記回転部を、前記点Ａおよび点Ｂが初期位置から回転終了位置へと移動するように、一方向に所定角度回転させる駆動手段と、
からなり、
前記点Ａは、前記操作部が近接位置にあるとき、前記操作部の側面と対向し、
前記点Ｂは、初期位置においては前記操作部の側面と対向しておらず、初期位置から回転終了位置へと移動する際に前記操作部の側面と対向する位置を通過可能であり、かつ、前記回転部が所定角度回転する間に前記操作部の側面と対向可能な点のうちで最も回転中心からの距離が離れており、
前記操作部が近接位置にあるとき、前記操作部の側面の前記回転部の回転中心からの距離はＬ２よりも小さく、
前記駆動手段は、前記操作部が前記回転部に対する近接位置から離間して、前記操作部の側面の前記回転部の回転中心からの距離がＬ３（ただし、Ｌ３＞Ｌ２）となったときに、前記回転部の一方向への回転を開始させること
を特徴とする回転玩具。
【請求項２】
前記駆動手段は、前記操作部が離間位置から前記回転中心からの距離Ｌ３の位置まで移動することにより、前記回転部を、前記点Ａおよび点Ｂが回転終了位置から初期位置へと移動するように、他方向へ所定角度回転させることを特徴とする請求項１記載の回転玩具。
【発明の詳細な説明】
【技術分野】
【０００１】
本発明は、操作部の操作に応じて回転部が回転する回転玩具の改良に関する。
【背景技術】
【０００２】
従来、操作部である握り部を、回転部である独楽に近接している状態から、離間させる方向に引っ張ることにより、独楽を回転させる玩具が知られている（例えば、特許文献１）。
【特許文献１】特開２００４−３２９４８０号公報
【発明の開示】
【発明が解決しようとする課題】
【０００３】
しかし、従来の玩具は、回転部が楕円や矩形等、回転中心から回転部の周面上の点までの距離が一定でない場合については考慮されていない。すなわち、回転部が楕円や矩形である場合や真円であっても回転中心が偏心している場合、回転部の周面上の点が回転により描く軌跡は、点ごとに異なる。そのため、操作部である握り部を周面上のある一点に近接する位置から離間する方向に引くこととした場合、回転し始めた回転部と握り部とが接触するおそれがある。そのようなおそれは、操作部が回転部に最も近接したとしても、回転部の周面上の、回転中心からの距離が最大であるような特定の点が描く回転軌跡の外にあるようにすることで解消できるが、そのことにより、操作部と回転部との回転前の位置関係に制約が生じる（回転中心からの距離が最大であるような特定の点が描く回転軌跡の外にあるようにしなくてはならない）ことになり、デザイン上不利である。
【０００４】
そこで、本発明では、回転部が楕円や矩形等、回転中心から回転部の周面上の距離が一定でない場合であっても、回転部と操作部が干渉することなく、かつ、デザイン上も有利な回転玩具を提供することを目的とする。
【課題を解決するための手段】
【０００５】
本発明の回転玩具は、表面を有する基部と、周面を有し、基部表面上を回転可能に取り付けられた回転部と、側面を有し、回転部の周面に対して前記側面が近接する近接位置、離間する離間位置を取り得る操作部と、からなり、前記回転部は、周面上に回転中心からの距離がＬ１である点ＡとＬ２（ただしＬ２＞Ｌ１）である点Ｂとを有し、前記操作部が近接位置から離間位置へ移動することにより、前記回転部を、前記点Ａおよび点Ｂが初期位置から回転終了位置へと移動するように、一方向に所定角度回転させる駆動手段と、からなり、前記点Ａは、前記操作部が近接位置にあるとき、前記操作部の側面と対向し、前記点Ｂは、初期位置においては前記操作部の側面と対向しておらず、初期位置から回転終了位置へと移動する際に前記操作部の側面と対向する位置を通過可能であり、かつ、前記回転部が所定角度回転する間に前記操作部の側面と対向可能な点のうちで最も回転中心からの距離が離れており、前記操作部が近接位置にあるとき、前記操作部の側面の前記回転部の回転中心からの距離はＬ２よりも小さく、前記駆動手段は、前記操作部が前記回転部に対する近接位置から離間して、前記操作部の側面の前記回転部の回転中心からの距離がＬ３（ただし、Ｌ３＞Ｌ２）となったときに、前記回転部の一方向への回転を開始させることを特徴とする。
【０００６】
また、本発明の回転玩具において、前記駆動手段は、前記操作部が離間位置から前記回転中心からの距離Ｌ３の位置まで移動することにより、前記回転部を、前記点Ａおよび点Ｂが回転終了位置から初期位置へと移動するように、他方向へ所定角度回転させる方が好ましい。
【発明の効果】
【０００７】
本発明により、回転部が楕円や矩形等、回転中心から回転部の周面上の距離が一定でない場合であっても、回転部と操作部が干渉することなく、かつ、デザイン上も有利な回転玩具を提供することができる。
【発明を実施するための最良の形態】
【０００８】
図１は、本実施形態に対応する回転玩具１０００の外観を示す図である。本実施の形態における回転玩具は、基部１１００と、基部１１００に対して回転可能に取り付けられた回転部１２００と、回転部１２００に対して近接位置、離間位置を取り得る操作部１３００とを有する。なお、図１において操作部１３００は、回転部１２００に対して近接位置にある状態である。以下、基部１１００、回転部１２００、操作部１３００について個別に構成を説明する。なお、以後説明を容易にするため、基部１１００に対して回転部１２００が存在する方向を「前」とし、その反対を「後」として説明する。また、回転部１２００のボタン１２０６が存在する方向を「上」、その反対を「下」、またボタン１２０６が存在する方向を「上」として、回転玩具１０００の後方から前方を見たときの右方向を「右」とし、その反対を「左」として説明する。なお、これはあくまで説明の便宜上、そう呼称するだけでありこの方向の定義が本発明の技術的範囲とは何ら関係が無いことは言うまでもない。
【０００９】
＜基部１１００および操作部１３００の構成＞
図２は、回転玩具１０００を右前方斜め上より見た分解図である。図３は、回転玩具１０００を右後方斜め上より見た分解図である。基部１１００は、左右方向（横方向）に長く上下方向（縦方向）に短い箱状の後方部材１１０１を有しており、後方部材１１０１の前部１１０２は開放されている。後方部材１１０１の開放された前部１１０２には、前部１１０２の右側約３分の１を塞ぐ右前面板１１０３と、前部１１０２の左側約３分の１を塞ぐ左前面板１１０４が取り付けられている。右前面板１１０３には左右方向に長い右長孔１１０５が設けられている。また、左前面板１１０４にも、左右方向に長い左長孔１１０６が設けられている。右長孔１１０５と左長孔１１０６は、左右方向の一直線上に並ぶように設けられている。また、右前面板１１０３上の、後方部材１１０１の上下方向中心線に対して右長孔１１０５と線対称な位置に、右長孔１１０５と平行で、かつ、左右方向に同じ長さの右長孔１１０７が設けられている。また、左前面板１１０４上の、後方部材１１０１の上下方向中心線に対して左長孔１１０６と線対称な位置に、左長孔１１０６と平行で、かつ、同じ長さの左長孔１１０８が設けられている。
【００１０】
後方部材１１０１の開放された前部１１０２のうち、右前面板１１０３、左前面板１１０４によって覆われていない中央部分１１０８を覆うように前方部材１１０９が取り付けられている。前方部材１１０９の前面が、基部１１００の表面を構成する。前方部材１１０９の表面中央には、一対の円弧状透孔１１１０、１１１１が形成されている。円弧状透孔１１１０と円弧状透孔１１１１とは、同一の円上の円弧であり、また、当該円の中心点に対して互いに点対称の関係にある。
【００１１】
前方部材１１０９の後方には、後面部１６１０、中央部１６２０、前面部１６３０からなる駆動手段１６００が位置している。駆動手段１６００は、後面部１６１０、中央部１６２０、前面部１６３０を、各々の中心孔１６１１、１６２１、１６３１を一致させるように重ね合わせることにより構成されている。また、後面部１６１０、中央部１６２０、前面部１６３０の各々の中心孔１６１１、１６２１、１６３１が連なることにより、中心孔１６０１が形成されている。前方部材１１０９の後面より後方に突出して設けられた軸１１１５が、中心孔１６０１に挿通されることにより、駆動手段１６００は前方部材１１０９に回転可能に取り付けられる。また、駆動手段１６００の前面１６３２には円筒状に前方に突出した一対のボス１６３３、１６３４が設けられている。ボス１６３３、１６３４は、互いに駆動手段１６００の中心に対して対称な位置に設けられている。ボス１６３３、１６３４は、駆動手段１６００を前方部材１１０９に取り付けたときに、前方部材１１０９の一対の円弧状透孔１１１０、１１１１に後方より挿通され、前方部材１１０９の前面（基部１１００の表面）から若干突出している。また、ボス１６３３、１６３４は、駆動手段１６００が前方部材１１０９に対して回転するに伴って、円弧状透孔１１１０、１１１１に沿って移動可能とされている。逆に言えば、ボス１６３３、１６３４は、円弧状透孔１１１０、１１１１によってその移動可能な範囲を規制されている。なお、本実施形態においては、ボス１６３３、１６３４が、それぞれ円弧状透孔１１１０の上端１１１０ａ、円弧状透孔１１１１の下端１１１１ａにあるときを０°とすると、それぞれが円弧状透孔１１１０の下端１１１０ｂ、円弧状透孔１１１１の上端１１１１ａまで移動したときには、ボス１６３３、１６３４は、９０°回転したことになる。すなわち、円弧状透孔１１１０、１１１１の長さは、ボス１６３３、ボス１６３４が０°から９０°の範囲で回転可能となるような長さとされている。
【００１２】
円弧状透孔１１１０、１１１１に挿通されているボス１６３３、１６３４に、前方部材１１０９の前方から取り付けられるようにして、回転部取付部材１１１２が設けられている。回転部取付部材１１１２には、回転部取付部材１１１２の両端より突出する方向に、図示しない弾性部材で付勢された爪部材１１１３、１１１４が設けられている。前述の通り、本実施形態においては、ボス１６３３、１６３４が０°から９０°の範囲で回転可能であるため、回転部取付部材１１１２も０°から９０°の範囲で回転可能である。
【００１３】
また、基部１１００には、右操作部１３０１および左操作部１３０２が設けられている。右操作部１３０１は、右前面板１１０３に設けられた右長孔１１０５、１１０７の各々に後方から挿通されたビスによって、その背板が右前面板１１０３上に固定される。このことにより、ビスが右長孔１１０５、１１０７に沿って移動することにより右操作部１３０１も右前面板１１０３上を移動可能である。また、左操作部１３０２は、左前面板１１０４に設けられた左長孔１１０６、１１０８の各々に後方から挿通されたビスによって、その背板が左前面板１１０４上に固定される。このことにより、ビスが左長孔１１０６、１１０８に沿って移動することにより左操作部１３０２も移動可能である。
【００１４】
右操作部１３０１は、その左側面（側面１３０７）下部から左方に突出する右アーム１３０３が設けられている。右アーム１３０３の端部には、前後方向に突出した右軸部１３０５が設けられている。また、左操作部１３０２は、その右側面上部から右方に突出する左アーム１３０４が設けられている。左アーム１３０４の端部には、前後方向に突出した左軸部１３０６が設けられている。右軸部１３０５と左軸部１３０６はそれぞれ駆動手段１６００に回動可能に支持されており、駆動手段１６００は、右操作部１３０１、左操作部１３０２を移動させることにより、右軸部１３０５、左軸部１３０６を介して回転させられるようになっている。
【００１５】
＜駆動手段１６００の構成＞
駆動手段１６００について、さらに詳細に説明する。駆動手段１６００は、円盤状の前面部１６３０と、前面部１６３０の後方に位置し、前面部１６３０と同じ半径を有する円盤状の中央部１６２０と、中央部１６２０の後方に位置し、前面部１６３０、中央部１６２０と同じ半径を有する円盤状の後面部１６１０とからなる。前面部１６３０、中央部１６２０、後面部１６１０は中心を同じくするように重ね合わされ、駆動手段１６００を構成している。
【００１６】
まず、後面部１６１０について説明する。円盤状の後面部１６１０の中心には中心孔１６１１が形成されている。また、中心孔１６１１を挟むようにして半径方向一直線上に並んで、長孔１６１２、１６１３が形成されている。長孔１６１２、１６１３は所定の長さを有している。また、中心孔１６１１に対して対称となる位置に一対の孔１６１４、１６１５が形成されている。
【００１７】
次に、後面部１６１０と右操作部１３０１と左操作部１３０２との関係について説明する。右操作部１３０１の右軸部１３０５の後方突出部分、左操作部１３０２の左軸部１３０６の後方突出部分が、それぞれ後面部１６１０の長孔１６１２、１６１３に回動可能、かつ、長孔１６１２、１６１３に沿って移動可能に支持される。
【００１８】
中央部１６２０について説明する。円盤状の後面部１６１０の中心には、中心孔１６２１が形成されている。また、中心孔１６２１を挟むように半径方向一直線状に並んで、長孔１６２２、１６２３が設けられている。また、中央部１６２０の周面の一部が中心孔１６２１に向かって穿たれるようにして、凹部１６２４が形成されている。また、凹部１６２４と中心孔１６２１に対して対称となる位置に、凹部１６２４と同様の形状の、凹部１６２５が形成されている。後面部１６１０の後面より後方に突出するようにして掛止部１６２６が形成されている。また、掛止部１６２６から円周方向に約１２０°離れた位置に透孔１６２７が形成されている。また、中央部１６２０の後面の周縁近傍に、後方に突出するボス１６２８が形成されており、ボス１６２８と中心孔１６２１に対して対称となる位置に、ボス１６２８と同形状のボス１６２９が形成されている。なお、後面部１６１０の中心孔１６１１を中央部１６２０の中心孔１６２１と一致させ、中央部１６２０の長孔１６２２と後面部１６１０の長孔１６１２の位置を一致させ、かつ、中央部１６２０の長孔１６２３と後面部１６１０の長孔１６１３の位置を一致させたときに、ボス１６２８、１６２９は、それぞれ後面部１６１０の孔１６１５、１６１４と一致する位置に形成されている。
【００１９】
次に中央部１６２０と、後面部１６１０との結合について説明する。まず、後面部１６１０の中心孔１６１１と中央部１６２０の中心孔１６２１を一致させる。このとき、後面部１６１０の長孔１６１２に支持されている右操作部１３０１の右軸部１３０５の前方突出部分が、中央部１６２０の長孔１６２２に挿通され、回動可能、かつ、長孔１６２２に沿って移動可能に支持されるようにする。すると、このとき、左操作部１３０２の左軸部１３０６の前方突出部分も、中央部１６２０の長孔１６２３に挿通され、回動可能、かつ、長孔１６２３に沿って移動可能に支持される。また、このとき、後面部１６１０の孔１６１４と中央部１６２０のボス１６２９の位置は一致しているので、孔１６１４の後方からネジを挿通して、中央部１６２０のボス１６２９を孔１６１４に固定する。同様にして、後面部１６１０の孔１６１４と中央部の１６２０のボス１６２８の位置も一致しているので、孔１６１５の後方からネジを挿通して中央部１６２０のボス１６２９を孔１６１５に固定する。このように、後面部１６１０と中央部１６２０は固定されているので、後面部１６１０と中央部１６２０は一体となっており、回転するときも一体となって回転する。
【００２０】
次に、前面部１６３０について説明する。円盤状の前面部１６３０は、その中心に中心孔１６３１が形成されており、前面１６３２には円筒状に前方に突出した一対のボス１６３３、１６３４が設けられている。ボス１６３３、１６３４は、互いに中心孔１６３１に対して対称な位置に設けられている。また、前面部１６３０の周縁近傍には後面から後方に突出する凸部１６３５が設けられている。また、凸部１６３５の、前面部１６３０の中心に対して対称な位置には、凸部１６３６が形成されている。凸部１６３５、１６３６は、前面部１６３０と中央部１６２０を重ね合わせたときに、それぞれ中央部１６２０の凹部１６２４、１６２５に収容される。また、前面部１６３０の後面から後方に突出するようにして掛止部１６３７が形成されている。なお、掛止部１６３７は、前面部１６３０と中央部１６２０が、凸部１６３５、１６３６が凹部１６２４、１６２５にそれぞれ収容されるように重ね合わされたときに、中央部１６２０に設けられた透孔１６２７に挿通され、中央部１６２０の後方に突出できる位置に形成されている。掛止部１６３７は、前面部１６３０が中央部１６２０に対して回動するに伴い、透孔１６２７内にて移動可能である。
【００２１】
前面部１６３０と中央部１６２０を重ね合わせて、前方部材１１０９の軸１１１５を前面部１６３０の中心孔１６３１、中央部１６２０の中心孔１６２１に挿通した状態で、中央部１６２０の透孔１６２７から中央部１６２０の後方に突出した、前面部１６３０の掛止部１６３７と、中央部１６２０の掛止部１６２６との間には、トーションバネ１６３８が設けられている。トーションバネ１６３８により、前面部１６３０は、中央部１６２０に対して常に他方向（前面部１６３０を前方から見たときの反時計回りの方向）に回転するように付勢されている。このことにより、前面部１６３０の凸部１６３５は、中央部１６２０の凹部１６２４の下端壁１６２４ａに向かう方向に付勢されており、前面部１６３０の凸部１６３６は、中央部１６２０の凹部１６２５の上端壁１６２５ａに向かう方向に付勢されている。
【００２２】
以上のような構成であるから、前面部１６３０は、中央部１６２０に対して、凸部１６３５が中央部１６２０の凹部１６２４の下端壁１６２４ａに当接する位置から上端壁１６２４ｂと当接する位置までの範囲（これは、凸部１６３６が、中央部１６２０の凹部１６２５の上端壁１６２５ａに当接する位置から下端壁１６２５ｂと当接する位置までの範囲と同じである）にて、回転可能である。ただし、もし凸部１６３５が凹部１６２４の下端壁１６２４ａに当接し、凸部１６３６が凹部１６２５の上端壁１６２５ａに当接しているときに、中央部１６２０が一方向（中央部１６２０を前方から見たときの時計周りの方向）に回転すると、下端壁１６２４ａによって凸部１６３５が、また、上端壁１６２５ａによって凸部１６３６が押圧されることで、前面部１６３０も中央部１６２０とともに回転する。逆に、中央部１６２０が他方向（一方向の反対の方向、中央部１６２０を前方から見たときの反時計回りの方向）に回転するとき、下端壁１６２４ａは凸部１６３５から、上端壁１６２５ａは凸部１６３６から離間しようとするが、トーションバネ１６３８により凸部１６３５、１６３６は付勢されているため、前面部１６３０にそれを阻む力がかかっていない限り（具体的には、ボス１６３３が円弧状透孔１１１０の上端１１１０ａに到達し、ボス１６３４が円弧状透孔１１１１の下端１１１１ａに到達してそれ以上回転できない等）、凸部１６３５、１６３６はそれぞれ下端壁１６２４ａ、上端壁１６２５ａに当接してこれを追うように移動する。このことにより、中央部１６２０が他方向に回転するとき、前面部１６３０も一体となって回転することになる。
【００２３】
なお、後面部１６１０、中央部１６２０、前面部１６３０を重ね合わすことにより、それぞれの中心孔１６１１、１６２１、１６３１が一致し、これらによって駆動手段１６００の中心孔１６０１が構成されることになる。
【００２４】
＜回転部１２００の構成＞回転部１２００は、本実施例においては、例えば左右方向に長く上下方向に短い箱状のものとして形成されている。回転部１２００の後面中央には円形の凹部１２０１が設けられており、凹部１２０１の上部周縁には上係止部１２０２が設けられており、下部周縁には下係止部１２０３が設けられている。上係止部１２０２と下係止部１２０３は凹部１２０１の中心を挟んで向かい合う位置に設けられている。凹部１２０１は、基部１１００の回転部取付部材１１１２を収容可能な大きさとされており、また、凹部１２０１の上係止部１２０２、下係止部１２０３は、回転部取付部材１１１２が凹部１２０１に収容されたとき、回転部取付部材１１１２の爪部材１１１３、１１１４を係止する。このことにより、回転部取付部材１１１２の回転に伴い、爪部材１１１３、１１１４、上係止部１２０２、下係止部１２０３を介して、回転部１２００も回転することになる。回転部取付部材１１１２は、前方部材１１０９の前面、すなわち、基部１１００の表面上を回転するので、これに取り付けられている回転部１２００も、基部１１００の表面上を回転することになる。なお、回転部取付部材１１１２が収容される凹部１２０１が、回転部１２００の後面の中央に設けられていることから、回転部１２００の回転中心軸は、回転部１２００の中心点１２０４を通過し、回転部に対して略垂直な軸１２０５となり、回転部１２００は、軸１２０５回りにて回転する。
【００２５】
なお、回転部１２００の上部に設けられたボタン１２０６を押圧することにより、爪部材１１１３が押圧されて上係止部１２０１から脱し、回転部取付部材１１１２から回転部１２００を取り外すことができるようになっている。また、回転部１２００の右側面には、カードスロット１２０７が設けられている。回転部１２００は、当該カードスロット１２０７を介して挿入されるカード（不図示）を内部に収納可能となっている。また、回転部１２００にはバーコード読取装置を内蔵しており、カードスロット１２０７より挿入されたカードに記載されているバーコードを読み取り可能とされている。バーコード読取装置によって読み取られたバーコードは、回転部１２００に内蔵された制御装置に送られ、制御装置は当該送られたバーコードに対応して様々な制御を行う。例えば、回転部１２００内に音声データ記憶手段と音声出力手段を設け、前述のバーコード毎に対応付けられた複数の音声データを記憶しておけば、制御装置は、バーコード読取手段から送られたバーコードに対応する音声データを音声データ記憶手段から検索し、音声出力手段から当該検索された音声データに応じた音声を出力することができる。さらに、回転部１２００の後面に音声出力スイッチを設け、基部１１００の前方部材１１０９に、回転部１２００の回転に応じて当該音声出力スイッチを押圧可能な位置に突起を設けておけば、回転部１２００の回転に応じて当該音声出力スイッチが突起により押圧され、前述の検索された音声データに応じた音声が音声出力手段から出力されるようにすることもでき、このことにより興趣性の高い回転玩具１０００を提供することができる。
【００２６】
図４は回転部１２００を正面から見た図である。回転部１２００の周面１２０８上の点は回転中心である軸１２０５からの距離が一定ではない。例えば、周面１２０８上の点Ａと軸１２０５までの距離をＬ１とし、点Ｂと軸１２０５までの距離をＬ２とすると、Ｌ２＞Ｌ１となるようになっている。
【００２７】
＜回転玩具１０００の動作＞
以上のように構成された基部１１００、回転部１２００、操作部１３００からなる回転玩具１０００の動作について説明する。まずは、回転玩具１０００を初期状態とするための動作について説明する。図５は右操作部１３０１、左操作部１３０２が回転部１２００から若干離間した状態を示す図である。このとき、回転部１２００は若干回転した状態（本実施形態では前方から見て初期状態から若干時計回りに回転した状態）となっている。
【００２８】
右操作部１３０１、左操作部１３０２を回転部１２００に近接する方向に移動させていくと、右軸部１３０５、左軸部１３０６も移動し、駆動手段１６００の後面部１６１０の長孔１６１２、１６１３、中央部１６２０の長孔１６２２、１６２３を押圧するので、後面部１６１０、中央部１６２０は前方部材１１０９の軸１１１５を中心に、正面視で反時計回りに回転していく。なお、以下、回転玩具１０００を正面から見た場合に、時計回りに回転する方向を「一方向」、反時計回りの方向を「他方向」と呼ぶ。また、このとき、前面部１６３０もトーションバネ１６３８により後面部１６１０、中央部１６２０とともに他方向に回転していく。また、このとき、前面部１６１０に設けられた凸部１６３５、１６３６も、中央部１６２０の凹部１６２４の下端壁１６２４ａ、凹部１６２５の上端壁１６２５ａと当接しつつ、それを追うように移動していく。以上のとおりであるから、前面部１６３０にボス１６３３、１６３４を介して取り付けられた回転部取付部材１１１２、回転部取付部材１１１２に取り付けられた回転部１２００も他方向に回転していくことになる。
【００２９】
なお、右操作部１３０１の右アーム１３０３、左操作部１３０２の左アーム１３０４の長さを調整することにより、右操作部１３０１、左操作部１３０２を回転部１２００に向けて移動させていくと、回転部１２００に最も近接する近接位置に到達する前に、前面部１６３０のボス１６３３が前方部材１１０９の円弧状透孔１１１０の上端１１１０ａに到達し、ボス１６３４は円弧状透孔１１１１ａの下端１１１１ａに到達するように調整されている。すなわち、右操作部１３０１、左操作部１３０２を回転部１２００に向けて移動させていくと、回転部１２００に最も近接する近接位置に到達する前に、前面部１６３０のボス１６３３が前方部材１１０９の円弧状透孔１１１０の上端１１１０ａに到達し、ボス１６３４は円弧状透孔１１１１の下端１１１１ａに到達し、前面部１６３０はそれ以上他方向に回転できなくなる。図６は、ボス１６３３、ボス１６３４がそれぞれ円弧状透孔１１１０の上端１１１０ａ、円弧状透孔１１１１の下端１１１１ａに到達した状態を示す図である。したがって、ここからさらに右操作部１３０１、左操作部１３０２を回転部１２００に向けて移動させ、回転部１２００に近接する近接位置まで到達させる間は、トーションバネ１６３８の弾性に抗して、前面部１６３０は回転せず、後面部１６１０、中央部１６２０のみが他方向に回転する。このとき、前面部１６１０に設けられた凸部１６３５、１６３６と、中央部１６２０の凹部１６２４の下端壁１６２４ａ、凹部１６２５の上端壁１６２５ａとは、それぞれ離間することになる。
【００３０】
以上のような動作をもって初期状態となった回転玩具１０００を図７に示す。右操作部１３０１、左操作部１３０２は、ともに回転部１２００に対して最も近接した近接位置にある。このとき右操作部１３０１の側面１３０７は、回転部１２００の周面１２０８上の点Ａと対向している。点Ａと回転部１２００の回転中心軸である軸１２０５との距離はＬ１である。回転玩具１０００が初期状態にあるときの点Ａの位置を、点Ａの初期位置と呼ぶ。なお、右操作部１３０１が近接位置にあるときの軸１２０５との距離はＬ１と略等しい。
【００３１】
ところで、前述の通り、駆動手段１６００のボス１６３３、ボス１６３４は、前方部材１１０９の円弧状透孔１１１０、１１１１により、０°から９０°の範囲で回転可能な範囲が規制されているので、回転部取付部材１１１２、回転部取付部材１１１２に取り付けられた回転部１２００も、０°から９０°の範囲に回転可能な範囲が規制されている。回転部１２００の周面１２０８上の点で、回転部１２００が０°から９０°の範囲で回転する間に、右操作部１３０１の側面１３０７と対向可能な点のうち、回転中心である軸１２０５から最も距離が離れている点を点Ｂとする。点Ｂと軸１２０５の間の距離をＬ２とすると、Ｌ２＞Ｌ１である。すなわち、回転部１２００の回転による点Ｂの軌跡は、半径Ｌ２の円弧となる。前述の通り、右操作部１３０１が近接位置にあるときの軸１２０５との距離はＬ１と略等しく、また、Ｌ２＞Ｌ１であるため、右操作部１３０１の側面１３０７の軸１２０５からの距離はＬ２よりも小さいことになる。言い換えれば、右操作部１３０１は近接位置にあるとき、右操作部１３０１は点Ｂの軌跡上にあることになる。また、回転玩具１０００が初期状態にあるときの点Ｂの位置を、点Ｂの初期位置と呼ぶ。この初期位置にあるとき、点Ｂは右操作部１３０１の側面１３０７と対向していない。
【００３２】
さて、回転玩具１０００の初期状態においては、駆動手段１６００の後面部１６１０および中央部１６２０は、前面部１６３０に対して他方向に回動した状態となっている。このことにより、前面部１６３０の凸部１６３５、１６３６は、トーションバネ１６３８の弾性に抗して、中央部１６２０の凹部１６２４の下端壁１６２４ａ、凹部１６２５の上端壁１６２５ａから離間している。したがって、右操作部１３０１、左操作部１３０２を回転部１２００に近接する近接位置から離間させ始め、駆動手段１６００の後面部１６１０および中央部１６２０が一方向に回転し始めたとしても、凸部１６３５、１６３６がそれぞれ凹部１６２４の下端壁１６２４ａ、凹部１６２５の上端壁１６２５ａと当接するまでは、前面部１６３０は回転しない。したがって、前面部１６３０に取り付けられた回転部取付手段１１１２、回転部取付手段１１１２に取り付けられた回転部１２００も回転しない。
【００３３】
右操作部１３０１、左操作部１３０２を近接位置から回転部１２００から離間する方向へ移動させていくと、やがて、中央部１６２０の凹部１６２４の下端壁１６２４ａ、凹部１６２５の上端壁１６２５ａが、それぞれ前面部１６３０の凸部１６３５、１６３６と当接する。このときの状態を図８に示す。このときの右操作部１３０１の側面１３０７と軸１２０５との距離はＬ３がＬ３＞Ｌ２となるように、右アーム１３０３の長さ、凹部１６２４、１６２５の大きさが調整されている。
【００３４】
さらに右操作部１３０１、左操作部１３０２を回転部１２００から離間させていくと、駆動手段１６００の前面部１６３０の凸部１６３５、１６３６が、中央部１６２０の凹部１６２４の下端壁１６２４ａ、凹部１６２５の上端壁１６２５ａによって押されることで、中央部１６２０、後面部１６１０とともに前面部１６３０も一方向に回転する。前面部１６３０に取り付けられた回転部取付手段１１１２、回転部取付手段１１１２に取り付けられた回転部１２００も一方向に回転する。
【００３５】
回転部１２００が回転していくと、点Ｂも初期位置から一方向に回転し、やがて右操作部１３０１の側面１３０７と対向するが、この時点ですでに右操作部１３０１の側面１３０７と回転中心である軸１２０５との距離はＬ３以上となっている。前述したとおり、Ｌ３＞Ｌ２であるため、回転部１２００の周面１２０８上で、回転部１２００が回転している間に右操作部１３０１の側面１３０７と対向可能な点のうち、最も軸１２０５から離れた距離にある点Ｂですら、右操作部１３０１の側面１３０７と接触することはない。
【００３６】
さらに右操作部１３０１、左操作部１３０２を回転部１２００から離間させ、離間位置に到達したとき、駆動手段１６００のボス１６３３、１６３４はそれぞれ、前方部材１１０９の円弧状透孔１１１０の下端１１１０ｂ、円弧状透孔１１１１の上端１１１１ｂに位置し、回転部１２００の回転は終了する。このとき、点Ａ、点Ｂは回転終了位置にある。右操作部１３０１、左操作部１３０２が離間位置にある状態を図９に示す。
【００３７】
なお、このとき、回転部１２００のカードスロット１２０７は上方を向いており、カードを挿入しやすくなっている。ここでカードを挿入すると、前述の通り、バーコード読取装置でカード上のバーコードが読み取られて制御装置に送られ、音声データ記憶手段から、読み取られたバーコードに対応する音声データを検索する。なお、音声データを１次音声データと２次音声データにより構成し、１次音声データについては、カードの挿入後、バーコードが読み取られた直後から、音声出力手段によってそれに基づく音声を出力し、２次音声データについては前述した音声出力スイッチが押圧されるまで出力されないようにしても良い。
【００３８】
再び、右操作部１３０１、左操作部１３０２を回転部１２００と近接する方向に移動させると、それに伴い、回転部１２００は他方向に回転する。この動作は、前述したとおり、トーションバネ１６３８により前面部１６３０の凸部１６３５、１６３６が、中央部１６２０の凹部１６２４の上端壁１６２４ａ、凹部１６２５の下端壁１６２５ａに当接しつつこれを追うように移動するため、前面部１６３０も後面部１６１０、中央部１６２０とともに他方向に回転するためである。
【００３９】
右操作部１３０１、左操作部１３０２を回転部１２００と近接する方向に移動させ、回転中心である軸１１０５と右操作部１３０１の側面１３０７との距離がＬ３となった段階で、駆動手段１６００のボス１６３３、１６３４はそれぞれ、前方部材１１０９の円弧状透孔１１１０の上端１１１０ａ、円弧状透孔１１１１の下端１１１１ａに位置し、回転部１２００の他方向への回転は終了する（図６の状態）。
【００４０】
回転部１２００に音声出力スイッチが設けられているならば、この回転部１２００の
他方向への回転が終了したときに、前方部材１１０９に設けられた突起で押圧されるようにすれば、回転終了と同時に、収容されているカードに記載されたバーコードに対応する音声データのうち、２次音声データに基づいて音声出力手段が音声を出力させることができ、興趣性の高い回転玩具１０００を提供することができる。
【００４１】
その後、さらに右操作部１３０１、左操作部１３０２を回転部１２００に向けて移動させ、回転部１２００に近接する近接位置まで到達させる間は、前述の通り、前面部１６３０は回転せず、トーションバネ１６３８の弾性に抗して、後面部１６１０、中央部１６２０のみが他方向に回転し、前面部１６１０に設けられた凸部１６３５、１６３６と、中央部１６２０の凹部１６２４の上端壁１６２４ａ、凹部１６２５の下端壁１６２５ａとは、それぞれ離間する。そして右操作部１３０１、左操作部１３０２が近接位置に到達し、回転玩具１０００は再び初期状態となる。
【図面の簡単な説明】
【００４２】
【図１】回転玩具１０００の外観を示す図。
【図２】回転玩具１０００を右前方斜め上より見た分解図。
【図３】回転玩具１０００を右後方斜め上より見た分解図。
【図４】回転部１２００を正面から見た図。
【図５】右操作部１３０１、左操作部１３０２が回転部１２００から若干離間した状態を示す図。
【図６】ボス１６３３、ボス１６３４がそれぞれ円弧上透孔１１１０の上端１１１０ａ、円弧状透孔１１１１の下端１１１１ａに到達した状態を示す図。
【図７】初期状態の回転玩具１０００の状態を示す図。
【図８】凹部１６２４の下端壁１６２４ａ、凹部１６２５の上端壁１６２５ａが、それぞれ前面部１６３０の凸部１６３５、１６３６と当接した状態を示す図。
【図９】右操作部１３０１、左操作部１３０２が離間位置にある状態を示す図。
【符号の説明】
【００４３】
１０００  回転玩具
１１００  基部
１１０１  後方部材
１１０２  （後方部材の）前部
１１０３  右前面板
１１０４  左前面板
１１０５  右長孔
１１０６  左長孔
１１０７  右長孔
１１０８  （後方部材の）中央部分
１１０９  前方部材
１１１０  円弧状透孔
１１１１  円弧状透孔
１１１２  回転部取付部材
１１１３  爪部材
１１１４  爪部材
１１１５  軸
１２００  回転部
１２０１  凹部
１２０２  上係止部
１２０３  下係止部
１２０４  中心点
１２０５  軸
１２０６  ボタン
１２０７  カードスロット
１２０８  周面
１３００  操作部
１３０１  右操作部
１３０２  左操作部
１３０３  右アーム
１３０４  左アーム
１３０５  右軸部
１３０６  左軸部
１３０８  （右操作部の）側面
１６００  駆動手段
１６０１  中心孔
１６１０  前面部
１６１１  中心孔
１６１２  長孔
１６１３  長孔
１６１４  孔
１６１５  孔
１６２０  中央部
１６２１  中心孔
１６２２  長孔
１６２３  長孔
１６２４  凹部
１６２５  凹部
１６２６  掛止部
１６２７  透孔
１６２８  ボス
１６２９  ボス
１６３０  後面部
１６３１  中心孔
１６３２  （駆動手段の）前面
１６３３  ボス
１６３４  ボス
１６３５  凸部
１６３６  凸部
１６３７  掛止部
１６３８  トーションバネ
【図１】
2010119541.tif 000003
【図２】
2010119541.tif 000004
【図３】
2010119541.tif 000005
【図４】
2010119541.tif 000006
【図５】
2010119541.tif 000007
【図６】
2010119541.tif 000008
【図７】
2010119541.tif 000009
【図８】
2010119541.tif 000010
【図９】
2010119541.tif 000011